【事件の表示】
　平成１０年特許願第２６２０９８号「印刷方法」拒絶査定不服審判事件〔平成１２年　３月２８日出願公開、特開２０００−　８５１６５〕について、次のとおり審決する。
【結　論】
　本件審判の請求は、成り立たない。
【理　由】
第１　手続の経緯  
　本願は、平成１０年９月１６日の特許出願であって、拒絶理由通知に応答して平成１９年６月１５日に手続補正がされたが、平成１９年１２月１４日付けで拒絶査定がされ、これを不服として平成２０年１月２１日付けで審判請求がされるとともに、平成２０年２月２０日付けで明細書についての手続補正がされたものである。 
　その後、当審により平成２１年８月２６日付けで前置報告書の内容を通知する審尋がされたところ、回答がされなかった。 
 　  
第２　平成２０年２月２０日付けの手続補正についての補正却下の決定 
［補正却下の決定の結論］ 
　平成２０年２月２０日付けの手続補正（以下「本件補正」という。）を却下する。 
 　 
［理由］ 
１　本件補正による請求項１についての補正の内容と目的 
　本件補正による請求項１についての補正は、補正前（平成１９年６月１５日付けの手続補正書参照）に  
「　【請求項１】　各色のインク塗布領域が区間分割されているインクフィルムを用いて、前記インク塗布領域の区間長より長い画像を印刷する場合に、印刷するべき各色の画像を複数の印刷ブロックに分割し、前記インクフィルムに配列塗布された複数の異なるインクを印刷用紙へ順次重ねて転写して各印刷ブロックを印刷する印刷方法において、
　前記印刷ブロックのうち、先行する印刷ブロックの終端側を、前記異なるインクの各々を転写して形成される各々インクの転写進行方向へ櫛状に延びた第１の部分画像として印刷し、後続の印刷ブロックの始端側を、前記異なるインクの各々を転写して形成される各々前記転写進行方向と逆方向へ櫛状に延び、前記第１の部分画像によって印刷されていない第２の部分画像と前記第１の部分画像とが交互に配置されるように印刷するとともに、前記印刷用紙における各色毎の前記印刷ブロックの継ぎ目の位置が異なるように印刷することを特徴とする印刷方法。」 
　とあったものを、  
「　【請求項１】　各色のインク塗布領域が
印刷用紙の搬送方向に
前記印刷用紙の搬送方向に
前記印刷用紙へ転写することにより
　前記印刷ブロックのうち、
前記搬送方向と逆方向
先行する印刷ブロックの終端側に
　
前記先行する印刷ブロックに続いて印刷される印刷ブロックのうち、前記搬送方向へ櫛状に延びた第２の部分画像を、前記第１の部分画像と前記第２の部分画像により継ぎ目部分の画像が完成するように前記先行する印刷ブロックと同色の後続する印刷ブロックの始端側に
　前記印刷用紙における各色毎の
前記継ぎ
　と補正するものである。  
 　  
　補正前の「印刷用紙へ順次重ねて転写して」印刷することと補正後の「順次重ねて前記印刷用紙へ転写することにより」印刷することに実質的な違いはない。
　
　「先行する印刷ブロック」に続いて印刷される「後続の印刷ブロック」は、次の印刷工程では「先行する印刷ブロック」となってその後に三番目の印刷ブロックが続くのであるから、補正後に「第２の部分画像と前記第１の部分画像とが交互に配置される」との記載がなくても、補正前と同じく「第２の部分画像と前記第１の部分画像とが交互に配置される」のである。
　
　補正により印刷ブロックが「印刷用紙の搬送方向に」区間分割されると限定されれば、補正前の「転写進行方向」は補正後の「前記搬送方向と逆方向」になる。
　
　してみると、該補正は、インクフィルムが各色のインク塗布領域に区間分割されている点に関して、「印刷用紙の搬送方向に」区間分割されていると限定する補正事項と、印刷するべき各色の画像を複数の印刷ブロックに分割する点に関して、「前記印刷用紙の搬送方向に」複数の印刷ブロックに分割すると限定する補正事項からなる。
　
　該補正は、発明を特定するために必要な事項を限定するものであり、平成１４年法律第２４号改正附則第２条第１項によりなお従前の例によるとされる同法による改正前の特許法第１７条の２第４項第２号に掲げる特許請求の範囲の減縮を目的とするものに該当する。 
　そこで、本件補正後の請求項１に係る発明が、特許出願の際独立して特許を受けることができるものであるかどうか（ 平成１８年法律第５５号改正附則第３条第１項によりなお従前の例によるとされる同法による改正前の特許法第１７条の２第５項において準用する同法第１２６条第５項に規定する要件を満たすか否か）について検討する。 
 　 
２　独立特許要件について  
２−１　本願補正発明の認定  
　本件補正後の請求項１に係る発明は、本件補正後の請求項１に記載されたとおりのものと認める。（以下「本願補正発明」という。）  
 　  
２−２　引用発明の認定 
　原査定の拒絶の理由に引用され、本願の出願前に頒布された特開平２−１２５７５５号公報（以下「引用例」という。）には、以下の記載ア．〜キ．が図示と共にある。 　 
ア．「２．特許請求の範囲
１）画像データに応じて複数種類の記録剤を重ね合せて記録を行うとともに、順次記録に係る行を部分的に重複させて前記記録を行う画像記録方法において、
　前記順次記録に係る行のうち、前行の重複部分に含まれる所定部分では所定種類の記録剤の重ね合せを行わずに記録を行い、次行の重複部分に含まれる前記所定部分以外の部分では前記所定種類以外の記録剤の重ね合せを行わずに記録を行うことを特徴とする画像記録方法。」（第１頁左下欄４〜１４行）
　
イ．「［従来の技術］
　第４図はこの種シリアルプリンタとして、多色記録が可能なサーマルプリンタの一般的構成例を示す。図において、１００はプラテンであり、図示を省略した側板間に回転自在に軸承されており、その一端には紙、ＯＨＰフィルム等の記録媒体（以下単に記録紙または紙ともいう）を副走査方向に搬送するためのモータ１１０が連結されている。
　プラテン１００には紙押さえローラ２２３が接触しており、この紙押さえローラ２２３は軸２２４に回転自在かつ摺動自在に嵌合されている。
　軸２２４の両端にはアーム２２５，２２６の上端が連結されており、各アーム２２５，２２６の下端はキャリッジガイド軸２２７の両端に連結されている。
　１３は、副走査方向に記録素子群を配列したサーマルヘッド形態の記録ヘッドであり、キャリッジ２２９上に搭載されている。このキャリッジ２２９は主走査方向に延在するキャリッジガイド軸２２７およびこれに平行に配置されたもう一本のキャリッジガイド軸２３０に対し摺動自在に取り付けられている。
　２３１は従動プーリ２３２とモータ２２１の出力軸に固定された駆動プーリ２２３との間に架けられたタイミングベルトであり、キャリッジ２２９の下面と連結されている。従って、タイミングベルト２３１の走行に伴ってキャリッジ２２９が矢印ＡおよびＢ方向（主走査方向）に移動となる。
　６４はインクリボン１を収納するためのリボンカセットであり、未使用のインクリボンを供給するための供給リール７０Ａおよび使用済めインクリボンを巻取るための巻取リール７０Ｂを有し、それらリールの中央部分においてプリンタに配設した軸２７０Ａおよび巻取軸２７０Ｂに対して着脱自在とする。そして、記録に際しては、例えばインクリボン１は巻取軸の回転に伴って供給リール７０Ａから記録ヘッド１３とプラテン１００に規制された記録紙との間を通過しつつ巻取リール７０Ｂに巻き取られて行く。
　ここに、インクリボン１は、例えばその長さ方向にブラック、イエロー、マゼンタおよびシアンの４色のインク色の領域を順次に、繰返して配列した形態を有する。そして、例えばフルカラー記録に際しては、これら複数色の領域を順次に記録ヘッド１３の記録素子群に対向させて４回の主走査を行うことにより、記録素子群の配列範囲に対応した高さをもった１行の記録が行われる。その１行の記録が終了すると、記録媒体を所定量副走査方向に搬送して、次行の記録を実行する。」（第２頁左上欄１２行〜第２頁左下欄２０行）
　
ウ．「［実施例］
　以下、図面を参照して本発明を詳細に説明する。
　第１図は本発明の一実施例に係るシリアルプリンタの制御系の一構成例を示し、具体的には第５図示の多色サーマルプリンタに適用可能なものである。
　ここで、２０は第２図示の処理手順等に従って各部を制御する例えばマイクロコンピュータ形態のＣＰＵ、２２はその処理手順に対応するプログラム等固定データを格納したＲＯＭである。２４はＲＡＭであり、不図示のホストコンピュータ等のデータ供給源から供給された記録用画像データを、例えば１頁分各色毎に展開する記録データ領域と、各構成要素からの各種データや制御・演算の過程で使用するデータ等を一時記憶するための作業用領域とを有する。
　２６はホームポジションセンサ等、制御対象である被駆動部の位置や状態を検出するためのセンサ群であり、その出力は対応する被駆動部の位置決めや設定のための制御に供される。２８は操作者が記録指令その他の指令を与えるためのスイッチ群である。
　３０および３２は、ＣＰＵ２０の制御の下に、それぞれ紙送りモータ１１０およびキャリッジモータ２２１の駆動制御を行うモータドライバである。３４は例えばリボン１の巻取り軸２７０Ｂに結合してリボン１の搬送を行うリボンモータであり、その駆動はドライバ３６を介して制御される。
　３８はヘッドドライバであり、例えば任意の１色の１行（以下これを１ブロックという）のデータを整列させるためのバッファを有した構成とすることができる。ここで、ある１行の記録時には、その行に係るブラック色の１ブロックのデータがＲＡＭ２４より読出されてバッファに展開され、これに基づいて記録ヘッド１３を走査して記録を行った後、イエロー、マゼンタおよびシアンについても順次同様の処理が行われる。このように、４回の走査を行って１行の記録を終了すると、記録ヘッド１３の記録素子群の配設範囲（これをＸドットとする）より小である所定量だけ（これをｘドットとする）、紙各りモータ２２１により記録媒体を搬送し、次行の記録を行う。従って、上下行間ではｎ’（＝Ｘ−ｘ）ドットラインのデータが重複記録されることになる。なお、この重複記録を考慮して、ＲＡＭ２４からは上下行間でｎ’ドットライン分のデータを重複させて１ブロックのデータを取出せばよい。
　以上の構成による重複記録の態様を説明する。
　第２図は本例に係る記録処理手順の一例を示すフローチャート、第３図は当該処理による重複記録の態様を説明するための説明図である。
　記録開始の指令が人力され、記録媒体Ｐが所定位置にセットされると本手順が起動し、まずステップＳ０においてＲＡＭ２４から１ブロック分の記録データを適宜取出すための読出しポインタ等を適切に設定する。次に、ステップＳ１にて、そのポインタが示す位置から１ブロック分のデータ（ブラック、イエロー、マゼンタまたはシアンのデータ）を取出し、ヘッドドライバ３８のバッファに展開する。
　次に、ステップＳ２にて、取出したデータがブラックまたはマゼンタであるか否かを判定し、肯定判定であればステップＳ３へ、イエローまたはシアンであればステップＳ５へ進む。ステップＳ３またはＳ５では、それぞれ、当該ブロックがその頁の先頭行に係るブロックであるか否か、または最終行に係るものであるか否かを判定する。これらにおいて否定判定された場合には、それぞれ、ステップＳ４またはＳ６にて、そのブロックの上側（ｎ’／２）ドットライン分のデータをクリア、または下側（ｎ’／２）ドットライン分データをクリアした後に、一方肯定判定された場合には直ちに、ステップＳ７に進む。なお、このクリアはＣＰＵ２０の処理による他、データ転送経路に適宜の論理回路を設け、ブロックに応じて上側または下側の数ドットラインがクリアされるようにしてもよい。
　ステップＳ７では、このように処理されてバッファに展開されたブロックデータについて記録のための走査を行う。このとき、第３図に示すように、イエローまたはシアンに係る記録であればリボンモータ３４を適切に制御してインクリボン１のイエロー領域またはシアン領域を記録ヘッド１３の位置に設定して記録が行われるが、下側（ｎ’／２）ドットラインのデータはクリアされているので、その部分の記録は行われない。同様に、ブラックまたはマゼンタに係る記録であれば、上側（ｎ’／２）ドットラインの記録が行われないことになる。
　次に、ステップＳ８にて１行の全ブロックについての記録が終了したか否かを判定し、否定判定であればステップＳ０に復帰してその行につき他のブロックの記録が行われるようにする。一方肯定判定であればステップＳ９に進み、所定量（ｘドットライン分）の紙送りを行った後に、ステップＳ１０にて１頁の記録が終了したか否かを判定する。ここで、否定判定であればステップＳ０に復帰して次行の各ブロックについての記録が行われるようにし、肯定判定であれば本手順を終了して記録媒体の排出その他を行う処理に移行する。
　以上の手順を経て記録が行われた記録媒体Ｐには、第３図に示すように重複部分が形成されている。」（第３頁左下欄１１行〜第４頁右下欄１６行）
　
エ．「また、用いる色もＢｋ、Ｙ、Ｍ、Ｃに限定されるものではなく、他の色を用いたり、色数の増減があったとしても本発明の趣旨は損なわれない。」（第５頁左上欄１２〜１４行）
　
オ．「さらに加えて、上例では特定色について上側または下側の数ドットラインの記録を一律に行わないようにしたが、例えば１ドットライン毎、縦の１ドット列毎、あるいは千鳥状に間引きを行って重ね回数を減らすようにすることもできる。」（第５頁右上欄２〜６行）
　
カ．「前行の当該重複部分のうち所定部分では所定の記録剤による記録を行わず、次行の当該重複部分では前記所定部分以外の部分で他の記録剤による記録を行わないものであれば、その態様はいかなるものであってもよい。」（第５頁右上欄１１〜１５行）
　
キ．「また、上例ではシリアルプリンタに本発明を適用した場合について述べたが、記録素子群を２次元的に配列し、行単位で一括して記録を行う形態のプリンタにも本発明は極めて有効かつ容易に適用できるのは言うまでもない。」（第５頁右上欄１６〜２０行）
 　 
Ａ．上記ウ．には、上記ア．の画像記録方法の実施例が記載されている。該実施例は、上記イ．記載の従来技術を前提としている。上記ウ．で、紙送りモータ１１０，キャリッジモータ２２１、リボンの巻取り軸２７０Ｂ等の、上記イ．が参照する第４図に記載されたサーマルプリンタの部材をそのまま引用しているように、該実施例と上記イ．記載の従来技術は、行の重ね方で相違するだけであって、画像記録方法を実行する記録装置の基本的な構成に違いがない。
　よって、該実施例のインクリボンも、上記イ．と同様に、インクリボン１の長さ方向に各色のインクの領域が配列されているインクリボンであることは明らかである。上記ウ．の「イエローまたはシアンに係る記録であればリボンモータ３４を適切に制御してインクリボン１のイエロー領域またはシアン領域を記録ヘッド１３の位置に設定して記録が行われる」との記載はこれを裏付ける。
　
Ｂ．上記ウ．の「１頁分各色毎に展開する記録データ領域」、「任意の１色の１行（以下これを１ブロックという）のデータを整列させるためのバッファ」、「ある１行の記録時には、その行に係るブラック色の１ブロックのデータがＲＡＭ２４より読出されてバッファに展開され、これに基づいて記録ヘッド１３を走査して記録を行った後、イエロー、マゼンタおよびシアンについても順次同様の処理が行われる。このように、４回の走査を行って１行の記録を終了すると、記録ヘッド１３の記録素子群の配設範囲（これをＸドットとする）より小である所定量だけ（これをｘドットとする）、紙各りモータ２２１により記録媒体を搬送し、次行の記録を行う。」等の記載から明らかなように、該実施例では、１頁分の画像等の、搬送方向においてブロック（行）の幅より大きい画像を複数のブロックに分割し、各色のインクを順次重ねて記録媒体に転写している。
　
Ｃ．該実施例では、上記ウ．が参照する第３図に示されるとおり、４色Ｂｋ，Ｙ，Ｍ，ＣをＢｋ，ＭとＹ，Ｃの２組に分け、先行するブロックとそれに続くブロックの一部を重ねる継ぎ目の位置が、異なる組では異なるようにしている。（Ｂｋ，Ｍの組の継ぎ目はＹ，Ｃの組の継ぎ目より第３図において下にある。）
　しかし、上記カ．にいうように、上記ア．記載の画像記録方法は該実施例に限られず、上記ア．にいう「前行の重複部分に含まれる所定部分では所定種類の記録剤の重ね合せを行わずに記録を行い、次行の重複部分に含まれる前記所定部分以外の部分では前記所定種類以外の記録剤の重ね合せを行わずに記録を行う」もの、すなわち「先行するブロックとそれに続くブロックの一部を重なる継ぎ目の位置が各色について同一ではないように記録する」ものであればよい。
　例えば、該実施例では４色であるが、上記エ．より、色数を増減してもよい。
　
Ｄ．上記カ．によれば、複数種類の記録剤の重複のさせ方は種々の態様が可能であって、上記オ．より「１ドットライン毎、縦の１ドット列毎、あるいは千鳥状に間引きを行って重ね」てもよい。
　「縦の１ドット列毎に間引きを行って重ね」ることは、先行するブロックの後端を、１ドット分の幅の歯が１ドット分の間隔を開けて櫛状に延びた第１の画像とし、それに続くブロックの始端を、１ドット分の幅の歯が１ドツト分の間隔を開けて櫛状に延びた第２の画像として、第１の画像と第２の画像を重ねることを想起させる。
　
Ｅ．該実施例はシリアルプリンタで実行されるが、上記キ．より、上記ア．記載の画像記録方法は「行単位で一括して記録を行う形態のプリンタ」いわゆるラインプリンタで実行されてもよい。
　なお、多色のサーマルラインプリンタであれば、各色のインク塗布領域が印刷用紙の搬送方向に区間分割されているインクリボンを用いることは一般的である。
　　
　以上のことから、引用例には、次の発明が記載されていると認めることができる。 
「各色のインクの領域が区間分割されているインクリボンを用いて、記録するべき各色の画像を複数のブロックに分割し、前記インクリボンの複数の異なるインクを順次重ねて前記記録媒体へ転写することにより各ブロックを記録する記録方法において、
　前記ブロックのうち、第１の部分画像を先行するブロックの終端側に記録し、
　前記先行するブロックに続いて記録されるブロックのうち、第２の部分画像を、前記第１の部分画像を記録する部分と前記第２の部分画像を記録する部分とが重複して継ぎ目となるように、前記先行するブロックと同色の後続するブロックの始端側に記録するとともに、
　前記記録媒体における各色毎の前記継ぎ目の位置が同一ではないように記録する記録方法。」（以下「引用発明」という。）  
 　 
２−３　対比  
　引用発明の「各色のインクの領域が区間分割されているインクリボン」は、「各色のインクの領域が区間分割されているインク担持体」である点で、本願補正発明の「各色のインク塗布領域が印刷用紙の搬送方向に区間分割されているインクフィルム」と共通している。
　 
　引用発明の「記録」、「ブロック」、「記録媒体」、「記録方法」は、それぞれ本願補正発明の「印刷」、「印刷ブロック」、「印刷用紙」、「印刷方法」に相当する。 
　
　引用発明の「前記第１の部分画像を記録する部分と前記第２の部分画像を記録する部分とが重複して継ぎ目となるように」は、「前記第１の部分画像と前記第２の部分画像とが重複して継ぎ目となるように」である点で、本願補正発明の「前記第１の部分画像と前記第２の部分画像により継ぎ目部分の画像が完成するように」と共通している。 
 　 
　引用発明の「各色毎の前記継ぎ目の位置が各色について同一ではないように記録する」は、「各色毎の前記継ぎ目の位置が各色について同一ではないように印刷する」点で、本願補正発明の「各色毎の前記継ぎ目の位置が異なるように印刷する」と共通している。
 　　 
　してみれば、本願補正発明と引用発明とは、以下の点で一致し、以下の点で相違する。 
 ＜一致点＞ 
 「各色のインクの領域が区間分割されているインク担持体を用いて、印刷するべき各色の画像を複数の印刷ブロックに分割し、前記インク担持体の複数の異なるインクを順次重ねて印刷用紙へ転写することにより各印刷ブロックを印刷する印刷方法において、
　前記印刷ブロックのうち、第１の部分画像を先行するブロックの終端側に記録し、
　前記先行するブロックに続いて記録されるブロックのうち、第２の部分画像を、前記第１の部分画像と前記第２の部分画像とが重複して継ぎ目となるように、前記先行するブロックと同色の後続するブロックの始端側に印刷するとともに、
　前記印刷用紙における各色毎の前記継ぎ目の位置が同一ではないように印刷する印刷方法。」 
 　 
 ＜相違点１＞ 
　「インク担持体」について、本願補正発明は「各色のインク塗布領域が印刷用紙の搬送方向に区間分割されているインクフィルム」と特定されているのに対し、引用発明は前記特定を有しない点。 
 　 
 ＜相違点２＞ 
　画像の分割について、本願補正発明は「前記インク塗布領域の区間長より長い画像を印刷する場合に、印刷するべき各色の画像を前記印刷用紙の搬送方向に複数の印刷ブロックに分割し」と特定されているのに対し、引用発明は前記特定を有しない点。 
 　 
 ＜相違点３＞ 
　「前記第１の部分画像と前記第２の部分画像とが重複して継ぎ目となるように、前記先行するブロックと同色の後続するブロックの始端側に印刷する」点について、本願補正発明は「前記印刷ブロックのうち、前記搬送方向と逆方向へ櫛状に延びた第１の部分画像を先行する印刷ブロックの終端側に印刷し、前記先行する印刷ブロックに続いて印刷される印刷ブロックのうち、前記搬送方向へ櫛状に延びた第２の部分画像を、前記第１の部分画像と前記第２の部分画像により継ぎ目部分の画像が完成するように前記先行する印刷ブロックと同色の後続する印刷ブロックの始端側に印刷する」と特定されているのに対し、引用発明は前記特定を有しない点。 
 　 
 ＜相違点４＞ 
　「各色毎の前記継ぎ目の位置が同一ではないように印刷する」について、本願補正発明は「各色毎の前記継ぎ目の位置が異なるように印刷する」と特定されているのに対し、引用発明は前記特定を有しない点。 
 　  
２−４　判断  
 ＜相違点１＞について 
　上記「２−２　引用発明の認定」のＥ．で言及したとおり、引用発明をラインプリンタで実行することは引用例に記載されている。
　そして、「各色のインク塗布領域が印刷用紙の搬送方向に区間分割されているインクフィルム」よりなるインクリボンを用いるサーマルラインプリンタは周知である。
　例えば、本願の出願前に頒布された特開平８−３１８６３５号公報（特に「【０００２】【従来の技術】昇華性染料を利用した熱転写記録装置は、周知のように、昇華性染料が面順次に塗布された転写紙を受容層が設けられた受像紙に当て、サーマルヘッドにより加熱、昇華させて画像記録を行う方式である。サーマルヘッドは多数の発熱素子がライン状に配列されており、画像情報に応じて発熱する。フルカラーを得るために、イエロー、マゼンタ、シアンの３色、またはこれにブラックを加えた４色の転写紙が用いられ、各色ごとに面順次に記録を行う。」及び図２）及び特開平９−１８８０１９号公報（特に「【０００２】【従来の技術】ラインサーマルヘッドで記録する熱転写プリンタが実用に供されている。一例として、カラー熱転写プリンタ（以下、プリンタと略記する）では、少なくともイエロ，マゼンタ，シアンの３色のインクを面順次に塗布したカラーインクリボンをラインサーマルヘッドとプラテンローラとの間で記録紙に密着させ、ラインサーマルヘッドによりインクを加熱して熱転写記録する。カラーインクリボンの１色の記録を行う毎に、ラインサーマルヘッドをプラテンローラから離間させ、カラーインクリボンと記録紙の密着を解除した上で、カラーインクリボンの次の色の位置出しと記録紙の位置出しを行う。」及び図５）参照。
　　
　してみると、引用発明において、本願補正発明の相違点１に係る構成を備えることは、引用例の記載及び周知技術に基づいて、当業者が容易に想到し得たことである。
 　 
＜相違点２＞について
　引用発明を引用例の記載に基づいてラインプリンタで実行することとし、かつ、そのインクリボンを周知の「各色のインク塗布領域が印刷用紙の搬送方向に区間分割されているインクフィルム」とした場合には、画像の分割の仕方は「前記インク塗布領域の区間長より長い画像を印刷する場合に、印刷するべき各色の画像を前記印刷用紙の搬送方向に複数の印刷ブロックに分割」することになる。
　してみると、引用発明において、本願補正発明の相違点２に係る構成を備えることは、周知技術及び引用例の記載に基づいて、当業者が容易に想到し得たことである。
　
＜相違点３＞について 
（ｉ）引用発明を引用例の記載に基づいてラインプリンタで実行することとし、かつ、画像の分割の仕方を「前記インク塗布領域の区間長より長い画像を印刷する場合に、印刷するべき各色の画像を前記印刷用紙の搬送方向に複数の印刷ブロックに分割」することとした場合には、「前記印刷ブロックのうち、前記搬送方向と逆方向へ延びた第１の部分画像を先行する印刷ブロックの終端側に印刷し、前記先行する印刷ブロックに続いて印刷される印刷ブロックのうち、前記搬送方向へ延びた第２の部分画像を、前記第１の部分画像と前記第２の部分画像が重複して継ぎ目となるように、前記先行するブロックと同色の後続するブロックの始端側に印刷する」こととなる。
　
（ｉｉ）上記「２−２　引用発明の認定」のオ．の「例えば１ドットライン毎、縦の１ドット列毎、あるいは千鳥状に間引きを行って」重ねることは、第１の部分画像と第２の部分画像により継ぎ目部分の画像が完成することを意味する。
　そして、上記「２−２　引用発明の認定」のＤ．で述べたとおり、「縦の１ドット列毎に間引きを行って重ねる」ことは、「先行するブロックの後端を、１ドット分の幅の歯が１ドット分の間隔を開けて櫛状に延びた第１の画像とし、それに続くブロックの始端を、１ドット分の幅の歯が１ドット分の間隔を開けて櫛状に延びた第２の画像として、第１の画像と第２の画像を重ねることを想起させる。
　よって、櫛歯状に延びる第１の部分画像と櫛歯状に延びる第２の部分画像により継ぎ目部分の画像を完成させることは、引用例の記載に基づいて、当業者が容易に想到し得たことである。
　
　また、２つの櫛歯状に延びる画像を継ぎ目で重ねて継ぎ目部分の画像が完成させることは周知である。
　例えば、本願の出願前に頒布された特開平７−３０９０２４号公報（「【００１２】このカラープリンタにおいては、印字画像１２ａ，１２ｂの行間をぼかすために、図６に示すように、行間にまたがるカラー印字画像１２ｃを行うようになっている。このカラー印字画像１２ｃは、あくまでも印字画像１２ａ，１２ｂの行間をぼかすものであるため、図７（Ａ）に示す印字画像１２ａ，１２ｂの千鳥状の２値化処理と異なり、図７（Ｂ）に示す縞状の２値化処理を行っていた。」との記載が参照する図７（Ｂ）には櫛状に延びた画像が示されている。）及び特開平９−１３６４４３号公報（図面の簡単な説明に「【図７】本発明の第２実施例の印刷方法に利用できる他のデザインパターンであり、（ａ）は、分割継ぎ目部分の面積の約半分を占め、分割部分の端部側に行くほど徐々に印刷ドット数が減るように、ギザギザ模様を付したデザインパターン、（ｂ）は（ａ）に示すデザインパターンの反転模様のデザインパターンである。」との記載があり、この「ギザギザ模様を付したデザインパターン」は【図７】をみると櫛状に延びた画像である。）参照。
　よって、櫛歯状に延びる第１の部分画像と櫛歯状に延びる第２の部分画像により継ぎ目部分の画像を完成させることは、周知技術に基づいて、当業者が容易に想到し得たことである。
　
　上記（ｉ）及び（ｉｉ）より、引用発明において、本願補正発明の相違点３に係る構成を備えることは、引用例の記載及び周知技術に基づいて、当業者が容易に想到し得たことである。
　
＜相違点４＞について
（ｉｉｉ）上記「２−２　引用発明の認定」のＣ．で述べたとおり、引用発明は「先行するブロックとそれに続くブロックの一部を重なる継ぎ目の位置が各色について同一ではないように記録する」ものであればよく、色数は４色に限られず増減してもよい。
　一方、赤黒記録等の２色記録はありふれたものであるから、引用発明において、色数を２色とすることは、引用例の記載に基づいて、当業者が適宜なし得たことである。
　そして、２色記録においては、「継ぎ目の位置が各色について同一ではないように」することは「各色毎の継ぎ目の位置が異なるように」することである。
　
（ｉｖ）引用発明の実施例では、４色を２組に分け、異ならせる継ぎ目の位置の数を組の数に対応して２箇所としている。
　しかし、異ならせる継ぎ目の位置の数はより多い方が、引用例にいう「［作　用］本発明によれば、前行および次行の記録が重複する部分で、複数種類の記録剤（例えば複数色のインク）の重ね回数が増すのを抑制できる。」（第３頁左下欄７〜１０行）の作用がより強く発揮される。
　よって、引用発明において、色数が３色以上の場合、異ならせる継ぎ目の位置の数を、３色なら３箇所、４色なら４箇所というように、用いる色の数にまで増やす、つまり「各色毎の継ぎ目の位置が異なるように」して、本願補正発明の相違点４に係る構成を備えることは、引用例の記載に基づいて、当業者が容易に想到し得たことである。
 　　 
　上記（ｉｉｉ）及び（ｉｖ）より、引用発明において、本願補正発明の相違点４に係る構成を備えることは、引用例の記載に基づいて、当業者が容易に想到し得たことである。
　
まとめ 
　上記「＜相違点１＞について」〜「＜相違点４＞について」の検討結果より、引用発明において、本願補正発明の相違点１〜４に係る構成を備えることは、引用例の記載及び周知技術に基づいて、当業者が容易に想到し得たことである　
　また、かかる構成を備えることによる効果も、当業者が予測し得る程度のものである。
  したがって、本願補正発明は、引用発明、引用例の記載及び周知技術に基づいて、当業者が容易に発明をすることができたものであるから、特許法第２９条第２項の規定により、特許出願の際独立して特許を受けることができない。  
 　  
　本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項に規定する要件を満たしていない。 
 　 
３　本件補正についてのむすび  
　上記「２　独立特許要件について」に記載のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
 　 
第３　本願発明  
１　本願発明の認定  
　平成２０年２月２０日付けの手続補正は上記のとおり却下されたので、本願の請求項１に係る発明は、平成１９年６月１５日付けで補正された本願の請求項１に記載された事項によって特定されるとおりのものと認める。（以下「本願発明」という。） 
 　 
２　引用例の記載 
　引用例及びその記載事項は、上記「第２　平成２０年２月２０日付けの手続補正についての補正却下の決定　［理由］　２　独立特許要件について　２−２　引用発明の認定」に記載したとおりである。 
 　  
 ３　対比・判断 
 　本願発明は、上記「第２　平成２０年２月２０日付けの手続補正についての補正却下の決定　［理由］　２　独立特許要件について」で検討した本願補正発明の発明特定事項から、インクフィルムが各色のインク塗布領域に区間分割されている点に関して、「印刷用紙の搬送方向に」区間分割されているとの限定と、印刷するべき各色の画像を複数の印刷ブロックに分割する点に関して、「前記印刷用紙の搬送方向に」複数の印刷ブロックに分割するとの限定を省いたものに相当する。 
 　 
　すると、本願発明の構成要件をすべて含み、さらに他の構成要件を付加したものに相当する本願補正発明が、上記「第２　平成２０年２月２０日付けの手続補正についての補正却下の決定　［理由］　２　独立特許要件について」に記載したとおり、引用発明、引用例の記載及び周知技術に基づいて、当業者が容易に発明をすることができたものであるから、本願発明も、同様の理由により、引用発明、引用例の記載及び周知技術に基づいて、当業者が容易に発明をすることができたものである。 
 　  
４　むすび  
　以上のとおり、本願発明は、引用発明、引用例の記載及び周知技術に基づいて、当業者が容易に発明をすることができたものであるから、特許法第２９条第２項の規定により特許を受けることができない。  
　したがって、本願は拒絶を免れない。